(57)【要約】 【課題】    空気浄化及び／または酸素発生機能を有する熟眠枕を提供する。【解決手段】  本発明の熟眠枕は、フラット状基部と、前記基部との間に内部空間を画成して基部を覆うカバーパネルと、吸入口と排出口を有し前記カバーパネルの両側の開放空間を塞ぐ側面部、及び前記内部空間に配置され前記吸入口から流れ込まれる空気を浄化し前記排出口及びカバーパネルを通って放出する空気浄化ユニットと、を含み、前記カバーパネルは、複数の通気口を有し最外層のカバーを形成する第１のカバーシートと、該第１のカバーシートの下部に設けられ健康に有益な機能性物質を収納する複数の引出式スライドと、該スライドをそれぞれ保持するスライドレセプタクルと、電気的作動により発熱可能であり発熱時に前記スライド内の機能性物質を活性化すべく前記スライドレセプタクルの下部に配置された炭素材シート発熱体と、を備えることを特徴とする。  【選択図】  図４
2005087715.tif 000002
【特許請求の範囲】
【請求項１】
フラット状基部と、  
前記基部との間に内部空間を画成して基部を覆うカバーパネルと、  
吸入口と排出口を有し前記カバーパネルの両側の開放空間を塞ぐ側面部、及び前記内部空間に配置され前記吸入口から流れ込まれる空気を浄化し前記排出口及びカバーパネルを通って放出する空気浄化ユニットと、  
を含み、  
前記カバーパネルは、複数の通気口を有し最外層のカバーを形成する第１のカバーシートと、該第１のカバーシートの下部に設けられ健康に有益な機能性物質を収納する複数の引出式スライドと、該スライドをそれぞれ保持するスライドレセプタクルと、電気的作動により発熱可能であり発熱時に前記スライド内の機能性物質を活性化すべく前記スライドレセプタクルの下部に配置された炭素材シート発熱体と、を備えることを特徴とする熟眠枕。  
【請求項２】
フラット状基部と、  
前記基部との間に内部空間を画成して基部を覆うカバーパネルと、  
吸入口と排出口を有し前記カバーパネルの両側の開放空間を塞ぐ側面部、及び  
吸気口を有し該吸気口から流れ込まれる空気を浄化し該浄化された空気を供給チューブを介して前記内部空間内に供給する外装型空気浄化ユニットと、  
を含み、  
前記カバーパネルは、複数の通気口を有し最外層のカバーを形成する第１のカバーシートと、該第１のカバーシートの下部に設けられ健康に有益な機能性物質を収納する複数の引出式スライドと、該スライドをそれぞれ保持するスライドレセプタクルと、電気的作動により発熱可能であり発熱時に前記スライド内の機能性物質を活性化すべく前記スライドレセプタクルの下部に配置された炭素材シート発熱体と、を備えることを特徴とする熟眠枕。    
【請求項３】
前記第１のカバーシートは銀素材を含むことを特徴とする請求項１または２に記載の熟眠枕。  
【請求項４】
前記スライドレセプタクルは、銀素材からなり、スライドを収納する凹所と前記第１のカバーシートの底面に取り付けられるフランジを備えることを特徴とする請求項１または２に記載の熟眠枕。  
【請求項５】
前記炭素材シート発熱体の下部に複数の通気口を備える銀素材の第２のカバーシートを更に含むことを特徴とする請求項１または２に記載の熟眠枕。  
【請求項６】
前記空気浄化ユニットに並列して配置され、空気中の酸素を抽出して酸素を発生する酸素発生ユニットを更に含むことを特徴とする請求項１に記載の熟眠枕。  
【請求項７】
前記空気浄化ユニットに並列して配置され、空気中の酸素を抽出し外部の供給チューブを介して前記内部空間内に酸素を供給する酸素発生ユニットを更に含むことを特徴とする請求項２に記載の熟眠枕。  
【請求項８】
前記空気浄化ユニットは陰イオン発生ユニットであり、高圧発生回路と、該回路から負の電圧が印加される長い高圧針部材、及び該高圧針部材が遊動可能に内挿し前記高圧発生回路から正の電圧が印加される銅リング部材と、を備えることを特徴とする請求項１または２に記載の熟眠枕。  
【請求項９】
前記空気浄化ユニットは、高圧針部材が遊動可能に内挿し前記高圧発生回路から正の電圧が印加される銀素材リング部材を更に含むことを特徴とする請求項８に記載の熟眠枕。
【請求項１０】
前記酸素発生ユニットは、吸込空気中の他の成分を取り除くための１次炭素材フィルターと、圧縮空気を供給する電動エアーポンプと、空気中の窒素成分を吸着するゼオライトで充填された吸着セクションと、吸着セクションから抽出された酸素を高圧貯蔵し、該高圧酸素中の不純成分を吸着して酸素の純度を高める銀素材高圧タンク、及び抽出酸素を２次にフィルタリングする２次炭素材フィルターと、を含むことを特徴とする請求項６または７に記載の熟眠枕。  
【請求項１１】
前記内部空間を画成する基部及びカバーパネルの内壁に絶縁材が被覆されたことを特徴とする請求項１、２、６及び７のいずれかに記載の熟眠枕。  
【請求項１２】
前記第１のカバーシートと引出式スライドとの間に断熱材シートを更に備えることを特徴とする請求項１、２、６及び７のいずれかに記載の熟眠枕。  
【請求項１３】
前記第１のカバーシートの上に複数の通気口を有するクッション材シートを更に含むことを特徴とする請求項１、２、６及び７のいずれかに記載の熟眠枕。  
【請求項１４】
前記側面部に前記炭素材シート発熱体、空気浄化ユニット、酸素発生ユニットへの電気的接続を媒介する電気接続具を含み、該接続具に接続し外部電源の接続、分配、及び制御のためのコントローラーを含むことを特徴とする請求項１、２、６及び７のいずれかに記載の熟眠枕。  
【請求項１５】
前記コントローラーは、過負荷保護器、温度調節器、及びタイマーのうちの少なくとも一つを含むことを特徴とする請求項１４に記載の熟眠枕。  
【請求項１６】
前記吸入口及び排出口にはフィルター材が充填され、該フィルター材は、活性炭素繊維フィルターを含むことを特徴とする請求項１、２、６及び７のいずれかに記載の熟眠枕。
【請求項１７】
前記フィルター材は、活性炭素繊維フィルターの前後面に複数の通気口を有する銀素材シートフィルターを更に含むことを特徴とする請求項１６に記載の熟眠枕。  
【請求項１８】
前記機能性物質は、菊花、種類、ハーブ類、漢方植物の薬剤類を含む植物性物質と、炭類と、黄土と、玉、ゲルマニウムを含む遠赤外線放射バイオセラミックを含むことを特徴とする請求項１、２、６及び７のいずれかに記載の熟眠枕。  
【請求項１９】
前記銀素材は、プレート材、コロイドシルバー超微粒子、織造銀糸を含むことを特徴とする請求項３に記載の熟眠枕。  
【請求項２０】
前記銀素材は、プレート材、コロイドシルバー超微粒子、織造銀糸を含むことを特徴とする請求項４に記載の熟眠枕。  
【請求項２１】
前記銀素材は、プレート材、コロイドシルバー超微粒子、織造銀糸を含むことを特徴とする請求項５に記載の熟眠枕。  
【請求項２２】
前記銀素材は、プレート材、コロイドシルバー超微粒子、織造銀糸を含むことを特徴とする請求項１７に記載の熟眠枕。
【発明の詳細な説明】
【技術分野】
【０００１】
本発明は、熟眠のための健康枕に関し、より詳しくは、空気浄化及び／または酸素発生機能を有する熟眠枕に関する。
【背景技術】
【０００２】
一般に、枕は、就寝時にユーザーの後頭部を支えることでユーザーの熟眠を保障するための補助物であって、各種の詰め物を入れた内皮を織物材等の外皮で被せた形態のものが主に使われている。  
【０００３】
この種の枕は、織物材、木材、ポリウレタン等の各種の素材で製造され、その形態においても、単純な平面状または袋状の形態から後頭部の形状に対応する人体工学的形態まで様々であり、ユーザーの後頭部を支えて熟眠を保障する一般の枕の機能の他に、ユーザーの熟眠はもとより就寝中のユーザーの健康まで考慮した健康補助機能性を付加するために各種の工夫がなされている。  
【０００４】
具体的に、例えば、香気療法が適用できるように枕の詰め物の材料を心身の安定に効果的な薬剤にしたり、詰め物または枕の本体自体を人体細胞を活性化させる遠赤外線放射物質を含むように構成したり、または枕本体の一部または全体を後頭部との接触により後頭部に経絡マッサージ効果を奏するべく硬質材で構成したりしている。  
【０００５】
しかし、この種の枕は、ユーザーの熟眠のために本質的に求められる周辺環境的要素、即ち、清浄空気に対する側面は全く考慮しておらず、従って、これらの枕の使用時、健康のための付加的機能性がいくら有用であっても人体の生命維持活動における最も本質的な空気が汚染されていたり澄んでいなければ、ユーザーの安らかな熟眠を決して保障することができないという不具合がある。  
【発明の開示】
【発明が解決しようとする課題】
【０００６】
本発明は、前記のような従来の技術の問題点を解決するためになされたものであって、その目的は、ユーザーの就寝時に清浄化した空気または酸素を供給すると共に、健康に有益な各種の有効物質を容易に内蔵または組み付け、これらの物質から人体に有益な成分を供給することにより、ユーザーの熟眠を保障し、且つ熟眠中のユーザーの健康増進を補助する空気の浄化及び酸素発生機能を有する熟眠枕を提供することである。  
【課題を解決するための手段】
【０００７】
前記目的を達成するために、本発明は、フラット状基部と、前記基部との間に内部空間を画成して基部を覆うカバーパネルと、吸入口と排出口を有し前記カバーパネルの両側の開放空間を塞ぐ側面部、及び前記内部空間に配置され前記吸入口から流れ込まれる空気を浄化し前記排出口及びカバーパネルを通って放出する空気浄化ユニットと、を含み、前記カバーパネルは、複数の通気口を有し最外層のカバーを形成する第１のカバーシートと、該第１のカバーシートの下部に設けられ健康に有益な機能性物質を収納する複数の引出式スライドと、該スライドをそれぞれ保持するスライドレセプタクルと、電気的作動により発熱可能であり発熱時に前記スライド内の機能性物質を活性化すべく前記スライドレセプタクルの下側に配置された炭素材シート発熱体と、を備えることを特徴とする熟眠枕を提供する。  
【０００８】
本発明の他の態様によると、本発明は、フラット状基部と、前記基部との間に内部空間を画成して基部を覆うカバーパネルと、吸入口と排出口を有し前記カバーパネルの両側の開放空間を塞ぐ側面部、及び吸気口を有し該吸気口から流れ込まれる空気を浄化し該浄化された空気を供給チューブを介して前記内部空間内に供給する外装型空気浄化ユニットと、を含み、前記カバーパネルは、複数の通気口を有し最外層のカバーを形成する第１のカバーシートと、該第１のカバーシートの下部に設けられ健康に有益な機能性物質を収納する複数の引出式スライドと、該スライドをそれぞれ保持するスライドレセプタクルと、電気的作動により発熱可能であり発熱時に前記スライド内の機能性物質を活性化すべく前記スライドレセプタクルの下部に配置された炭素材シート発熱体と、を備えることを特徴とする熟眠枕を提供する。  
【０００９】
本発明の一実施例によると、前記第１のカバーシートは銀素材を含むことを特徴とする。  
【００１０】
本発明の一実施例によると、前記スライドレセプタクルは、銀素材からなり、スライドを収納する凹所と前記第１のカバーシートの底面に取り付けられるフランジを備えることを特徴とする。  
【００１１】
本発明の一実施例によると、前記炭素材シート発熱体の下部に複数の通気口を備える銀素材の第２のカバーシートを更に含むことを特徴とする。  
【００１２】
本発明の一実施例によると、前記空気浄化ユニットに並列して配置され、空気中の酸素を抽出して前記内部空間内に酸素を供給する酸素発生ユニットを更に含むことを特徴とする。
【００１３】
本発明の一実施例によると、前記空気浄化ユニットは陰イオン発生ユニットであり、高圧発生回路と、該回路から負の電圧が印加される長い高圧針部材、及び該高圧針部材が遊動可能に内挿し前記高圧発生回路から正の電圧が印加される銅リング部材と、を備えることを特徴とする。  
【００１４】
本発明の一実施例によると、前記空気浄化ユニットは、高圧針部材が遊動可能に内挿し前記高圧発生回路から正の電圧が印加される銀素材リング部材を更に含むことを特徴とする。  
【００１５】
本発明の一実施例によると、前記酸素発生ユニットは、吸込空気中の他の成分を取り除くための１次炭素材フィルターと、圧縮空気を供給する電動エアーポンプと、空気中の窒素成分を吸着するゼオライトで充填された吸着セクションと、吸着セクションから抽出された酸素を高圧貯蔵し、該高圧酸素中の不純成分を吸着して酸素の純度を高める銀素材高圧タンク、及び抽出酸素を２次にフィルタリングする２次炭素材フィルターと、を含むことを特徴とする。  
【００１６】
本発明の一実施例によると、前記内部空間を画成する基部及びカバーパネルの内壁に絶縁材が被覆されたことを特徴とする。  
【００１７】
本発明の一実施例によると、前記第１のカバーシートと引出式スライドとの間に断熱材シートを更に備えることを特徴とする。  
【００１８】
本発明の一実施例によると、前記第１のカバーシートの上に複数の通気口を有するクッション材シートを更に含むことを特徴とする。  
【００１９】
本発明の一実施例によると、前記側面部に前記炭素材シート発熱体、空気浄化ユニット、酸素発生ユニットへの電気的接続を媒介する電気接続具を含み、該接続具に接続し外部電源の接続、分配、及び制御のためのコントローラーを含むことを特徴とする。  
【００２０】
本発明の一実施例によると、前記コントローラーは、過負荷保護器、温度調節器、及びタイマーのうちの少なくとも一つを含むことを特徴とする。  
【００２１】
本発明の一実施例によると、前記吸入口及び排出口にはフィルター材が充填され、該フィルター材は、活性炭素繊維フィルターを含むことを特徴とする。
【００２２】
本発明の一実施例によると、前記フィルター材は、活性炭素繊維フィルターの前後面に複数の通気口を有する銀素材シートフィルターを更に含むことを特徴とする。  
【００２３】
本発明の一実施例によると、前記機能性物質は、菊花、種類、ハーブ類、漢方植物の薬剤類を含む植物性物質と、炭類と、黄土と、玉、ゲルマニウムを含む遠赤外線放射バイオセラミックを含むことを特徴とする。  
【００２４】
本発明の一実施例によると、前記銀素材は、プレート材、コロイドシルバー超微粒子、織造銀糸を含むことを特徴とする。  
【発明の効果】
【００２５】
本発明の熟眠枕によると、枕本体の吸気口及び排気口のフィルター材による２重浄化効果、陰イオン発生による空気浄化効果、空気の抽出による酸素発生効果、本体の銀素材による有益な効果（殺菌力、人体のホルモン系統のバランス維持、電磁波の遮断、水脈波の遮断、遠赤外線の放出、陰イオンの放出、抗菌／抗カビ及び心身安定等の効果）、各種の機能性物質（例えば、菊花、種類、ハーブ類、漢方植物の薬剤類を含む植物性物質と、炭類と、黄土と、玉、ゲルマニウムを含む遠赤外線放射バイオセラミック等）による有益な効果（心身の安定、頭や目の冴え、頭痛及びストレスの解消、皮膚美容、体内毒素の除去、抗菌及び空気浄化、体内細胞の活性化等の効果）を提供することにより睡眠中のユーザーの安らかな熟眠を保障する。  
【発明を実施するための最良の形態】
【００２６】
以下、本発明の好適な実施例を添付した図面を参照して詳細に説明する。
図１は、本発明の一実施例による熟眠枕の斜視図である。  
同図に示す熟眠枕１００は、フラット状基部１００Ｂと、前記基部との間に内部空間を画成して基部を覆うカバーパネル１００Ｔと、吸入口１３ａ、１３ｂと排出口１５ａ、１５ｂを有し前記カバーパネルの両側の開放空間を塞ぐ側面部１００Ｓとを備える本体を含む。  
【００２７】
前記カバーパネル１００Ｔは、波状の曲面をなしてもよく、複数の通気口１１を有し最外層のカバーを形成する第１のカバーシート１０と、この第１のカバーシートの下部に設けられ健康に有益な機能性物質を収納する複数の引出式スライド２０と、このスライドをそれぞれ保持するスライドレセプタクル３０と、電気的作動により発熱可能であり発熱時に前記スライド内の機能性物質を活性化すべく前記スライドレセプタクルの下部に配置された炭素材シート発熱体４０とを備える。  
【００２８】
前記第１のカバーシート１０は、就寝時にユーザーの後頭部を安楽に支えるべくポリウレタンフォームのような弾性重合体や織物材、または機能性素材からなることが好ましい。  
【００２９】
なお、前記機能性素材としては、銀（Ａｇ）素材を使用することが好ましい。かかる銀素材は、純度９９％以上の純銀製プレート形態や、コロイドシルバー（ｃｏｌｌｏｉｄ ｓｉｌｖｅｒ）の銀超微粒子集合体またはこの超微粒子を、前記弾性重合体或いは織物材、または、その他の機能性素材に蒸着またはコートするか、或いはフィラメント銀糸の形態で添加したものを採用することができる。  
【００３０】
このような銀素材の採用は、既に伝統的に民間療法で用いられながら、その効能が知られており、そして、現代に入ってその効能が科学的に立証されたように、銀素材自体がもっている殺菌力、人体のホルモン系統のバランス維持、電磁波の遮断、水脈波の遮断、遠赤外線の放出、陰イオンの放出、抗菌／抗カビ及び心身の安定等の効果を睡眠中のユーザーに提供するためである。    
【００３１】
また、前記第１のカバーシート１０として銀素材プレートのような機能性素材を採用する場合、第１のカバーシートの上部に弾性重合体或いは織物材のようなクッションシートを更に備え得る。  
【００３２】
図２は、本発明に係る熟眠枕の一部斜視図及びカバーパネルのうちの引出式スライドとスライドレセプタクルの概略的な斜視図である。  
【００３３】
同図に示すように、前記第１のカバーシート１０の下部に設けられる複数の引出式スライド２０は、人体に有益な機能性物質を取り替え自在に収納し、それぞれのスライド２０は、凹所３０ａとフランジ３０ｂとからなるスライド保持用レセプタクル３０の凹所３０ａ内に矢印方向にスライド自在に配置され、各種の機能性物質を収納する。複数のスライドは、並列して配置され、各スライドを保持するレセプタクル３０のフランジ３０ｂ部分は、第１のカバーシート１０の底面に溶接を含む所定の方法で取り付けられる。  
【００３４】
前記機能性物質としては、伝統的に漢方または民間療法で使用されてきており、また、現代科学でその効能が立証された物質が使用されるが、例えば、心身の安定、頭や目の冴え、頭痛及びストレスの解消、皮膚美容、体内毒素の除去、抗菌及び空気浄化、体内細胞の活性化等の効能のある菊花、種類、ハーブ類、漢方植物の薬剤類を含む植物性物質と、炭類と、黄土と、玉、ゲルマニウムを含む遠赤外線放射バイオセラミックを含む。  
【００３５】
図３は、本発明の一実施例に係る熟眠枕のカバーパネルのうちの一部の構成を概略的に示す斜視図である。同図に示すように、スライド２０内に収納されている前記した各種の機能性物質の効能を極大化するために、スライドの下部に活性炭素のような炭素材シート発熱体４０を備える。    
【００３６】
この炭素材シート発熱体４０は、電気により作動するように電源とコントローラー１９に接続されており、電気的作動により発熱が行われることでスライド２０に収納されている機能性物質を熱的に活性化させることにより機能性物質の効能の極大化を図る。  
【００３７】
前記コントローラー１９は、炭素材シート発熱体が過熱することなく適正の温度を保持可能にするために過負荷保護器、温度調節器、及びタイマーのうちの少なくとも一つからなる。  
【００３８】
一方、本発明の一実施例に係る熟眠枕１００のカバーパネル１００Ｔは、炭素材シート発熱体４０の下部に、銀素材からなる第１のカバーシート１０と類似して複数の通気口を有する銀素材の第２のカバーシート５０を更に含むことができる。  
【００３９】
これは、前記炭素材シート発熱体４０の発熱時、この発熱体の下部に隣接している銀素材の第２のカバーシート５０を熱的に活性化させることで銀による効能を倍加させるための構成である。  
【００４０】
一方、本発明に係る熟眠枕は、周辺の各種の匂い、埃、汚染された空気を浄化するか、または高純度酸素を供給するために、陰イオン発生器のような空気浄化ユニット及び／または酸素発生ユニットを備える。  
【００４１】
かかる空気浄化ユニットと酸素発生ユニットの構成を図４及び図５に示している。  
同図に示すように、本発明に係る熟眠枕１００は、本体内の内部空間に空気浄化ユニット７０及び／または酸素発生ユニット９０を備える。  
【００４２】
本体の側面部の吸入口１３ａ、１３ｂから流入配管７０ｉｎを通って流れ込まれた空気は、空気浄化ユニット７０に供給され、その一部は、他の流入配管９０ｉｎを通って再び酸素発生ユニット９０に供給される。空気浄化ユニット７０により浄化された空気は、流出配管７０ｏｕｔを通って枕本体の側面部の排出口１５ａ、１５ｂから外部に排気されるか、または前述したようなカバーパネル１００Ｔの通気口から外部に排気されることにより、睡眠中のユーザーに対し清浄空気及び／または酸素を供給するようになる。  
【００４３】
また、酸素発生ユニット９０に供給された空気は、抽出過程により空気中の酸素成分だけが抽出され流出配管９０ｏｕｔを通って前記排出口１５ａ、１５ｂから外部に排気するか、または前述したようにカバーパネル１００Ｔの通気口から外部に排気することにより睡眠中のユーザーに対し清浄空気を供給するようになる。  
【００４４】
この時、前記吸入口１３ａ、１３ｂ及び排出口１５ａ、１５ｂには、これらの通路を通る空気または酸素に含まれ得る不純物を捕捉したり、前記空気浄化ユニット７０及び／または酸素発生ユニット９０から排出される浄化空気または抽出酸素を付加的にフィルタリングするためにフィルター材を充填することができる。  
【００４５】
かかるフィルター材の一例を図６に示している。同図に示すように、フィルター材は、基本的に活性炭素繊維フィルター１４を含み、このフィルターの前後面に複数の通気口１２ａを有する銀素材シート１２、１６を更に含み得る。
【００４６】
従って、枕の周辺の空気は、吸入口１３ａ、１３ｂを通りながら一次に浄化され、枕本体内の空気浄化ユニット７０及び／または酸素発生ユニット９０を通りながら２次に浄化され、排出口１５ａ、１５ｂを通りながら３次に浄化される効果を奏する。    
【００４７】
これらの空気浄化ユニット７０と酸素発生ユニット９０は、枕本体内の内部空間における基部１００Ｂ上に設けることができ、この基部は、ネジにより枕本体に脱着自在に設けることができる。かかる基部１００Ｂの構成を図７に示している。  
【００４８】
一方、前述した空気浄化ユニット７０の構成例を図８に示している。同図に示すように、空気浄化ユニットは、陰イオン発生器の一種であって、高圧発生回路７１と、この回路から負の電圧が印加される長い高圧針部材７３、及びこの高圧針部材が遊動可能に内挿し前記高圧発生回路７１から正の電圧が印加される銀素材リング部材７５ａと銅リング部材７５ｂとを備える。    
【００４９】
従って、空気浄化ユニットに電圧が印加されると、陰極と陽極との間の空間で陰イオンが発生し、特に、銀素材リング電極からは、人体に有益な銀イオンが放出されることにより、空気浄化の効果と共に殺菌力、人体のホルモン系統のバランス維持、電磁波の遮断、水脈波の遮断、遠赤外線の放出、陰イオンの放出、抗菌／抗カビ及び心身の安定等の効果を倍加することができる。    
なお、銀素材リング部材７５ａと銅リング部材７５ｂのいずれか一つだけを陽極として採っても陰イオン発生効果に差がないことはいうまでもない。  
【００５０】
前記陰極高圧針部材７３の先端には、炭素ブラシまたは炭素繊維７３ａを取り付け、高圧針部材の先端から放出される電子との衝突により陰イオン及び炭素ブラシまたは炭素繊維自体からの電子の発生を倍加することにより、陰イオンの発生効率の極大化を図ることができる。  
【００５１】
一方、図示してはいないが、前記酸素発生ユニットは、空気中の他の成分を取り除くための１次フィルターと、圧縮空気を供給するエアーポンプと、空気中の窒素成分を吸着するゼオライトで充填された吸着セクションと、吸着セクションから抽出された酸素を高圧貯蔵して酸素の純度を高める銀素材高圧タンク、及び抽出酸素を２次にフィルタリングする２次フィルターとを含む。  
【００５２】
前記銀素材高圧タンクは、高圧貯蔵された酸素が銀素材と反応しながら酸素中に含まれた不純物が銀素材に吸着されるようにすることで酸素の純度を高める役割を果たす。  
【００５３】
前述した空気浄化ユニット及び／または酸素発生ユニットは、作動の際に高電圧を必要とし、これによる電磁波の影響を抑えるために熟眠枕の本体の内部空間を画成する基部１００Ｂ及び銀素材シート５０の内壁に絶縁材を被覆する。
【００５４】
また、前記空気浄化ユニットと酸素発生ユニットはもとより、前述した炭素材発熱体にかかる過負荷を抑えるために、前記空気浄化ユニットと酸素発生ユニットは、電源に接続され供給電源を分配及び調節するコントローラーを含み、このコントローラーは、過負荷保護器、温度調節器、及びタイマーのうちの少なくとも一つを備える。  
【００５５】
本発明の他の実施例によると、前記空気浄化ユニット及び／または酸素発生ユニットは、これらのユニットの作動時に生じ得る微細振動や電磁波の影響を完全に排除すべく枕本体の外部で作動する外装型ユニットから構成することができる。かかる実施例の熟眠枕を図９及び図１０に示している。  
【００５６】
この実施例の熟眠枕は、内蔵型空気浄化ユニット及び酸素発生ユニットを採用している前述した実施例のそれとは、設置位置による構成において変化があるのみで、他の部分は、すべて同一である。  
【００５７】
外装型空気浄化ユニット７０及び／または酸素発生ユニット９０は、吸入口１３ａ’から流れ込まれた空気を浄化処理または酸素抽出処理を行い、この処理済みの浄化空気または抽出酸素を供給チューブ１２を介して枕本体の側面部の流入口１３ｂ’から枕本体の内部空間内に供給し、枕本体内の内部空間内に供給された浄化空気及び／または抽出酸素は、本体の側面部とカバーパネルの通気口から外部に排気されることにより、睡眠中のユーザーに直接伝わるようにする。
【図面の簡単な説明】
【００５８】
【図１】本発明の一実施例に係る熟眠枕の斜視図である。
【図２】本発明に係る熟眠枕の一部の斜視図及びカバーパネルの引出式スライドとスライドレセプタクルを概略的に示す斜視図である。
【図３】本発明の一実施例に係る熟眠枕のカバーパネルの一部の構成を概略的に示す斜視図である。
【図４】本発明の一実施例に係る熟眠枕の空気浄化及び酸素発生システムを示す構成図である。
【図５】本発明の一実施例に係る熟眠枕の空気浄化及び酸素発生システムを示す構成図である。
【図６】枕本体の吸入口及び排出口に配置されるフィルター材の一例を示す図である。
【図７】本発明の一実施例に係る熟眠枕の基部の底面図である。
【図８】本発明の一実施例に係る熟眠枕の空気浄化ユニットの回路構成を例示的に示す図である。
【図９】外装型空気浄化ユニット及び／または酸素発生ユニットを有する本発明の一実施例に係る熟眠枕の斜視図である。
【図１０】外装型空気浄化ユニット及び／または酸素発生ユニットを有する本発明の一実施例に係る熟眠枕の斜視図である。
【符号の説明】
【００５９】
１０：第１のカバーシート              １１：通気口
１２：炭素材フィルター                １３ａ、１３ｂ：吸入口
１４、１６：銀素材シートフィルター    １５ａ、１５ｂ：排出口
１８：供給チューブ                    １９：コントローラー
２０：スライド                        ３０：スライドレセプタクル
４０：炭素材発熱体                    ５０：第２のカバーシート
７０：空気浄化ユニット                ７１：高圧回路
７３：陰極高圧針部材                  ７５ａ：陽極銀素材リング部材
７５ｂ：陽極銅リング部材              ９０：酸素発生ユニット
１００：熟眠枕                        １００Ｂ：基部
１００Ｓ：側面部                      １００Ｔ：カバーパネル
【図１】
2005087715.tif 000003
【図２】
2005087715.tif 000004
【図３】
2005087715.tif 000005
【図４】
2005087715.tif 000006
【図５】
2005087715.tif 000007
【図６】
2005087715.tif 000008
【図７】
2005087715.tif 000009
【図８】
2005087715.tif 000010
【図９】
2005087715.tif 000011
【図１０】
2005087715.tif 000012